【手続補正書】
【提出日】平成17年4月1日(2005.4.1)
【手続補正１】
【補正対象書類名】明細書
【補正対象項目名】発明の名称
【補正方法】変更
【補正の内容】
【発明の名称】カメラシステムおよびカメラ
【手続補正２】
【補正対象書類名】明細書
【補正対象項目名】特許請求の範囲
【補正方法】変更
【補正の内容】
【特許請求の範囲】
【請求項１】
露光中に被写体に向け発光制御を行う第１、第２の閃光発光手段と、前記第１、第２の閃光発光手段による露光中の発光制御に先立ち被写体に向け第１、第２の予備発光を順次行わせる予備発光制御手段と、被写体の光を変換して得られた光電流を圧縮し、電圧として出力する圧縮型測光手段と、前記第１、第２の予備発光による被写体からの反射光を前記圧縮型測光手段により測光して得られた予備発光時の測光出力に基づいて、露光中の前記第１、第２の閃光発光手段の発光量を制御する発光量制御手段を有することを特徴とするカメラシステム。
【請求項２】
前記圧縮型測光手段は、画面内を分割してそれぞれの分割エリアの輝度値を出力することを特徴とする請求項１記載のカメラシステム。
【請求項３】
前記発光量制御手段は、露光中の前記第１、第２の閃光発光手段の発光量の比が所定の値になるように制御することを特徴とする請求項１記載のカメラシステム。
【請求項４】
前記発光量制御手段は、前記発光量の比を前記所定の値とするために、前記第１、第２の閃光発光手段の発光量をそれぞれが単独で適正露光量となるような標準の発光量から補正することを特徴とする請求項３記載のカメラシステム。
【請求項５】
前記発光量制御手段は、露光中の前記第１、第２の閃光発光手段の発光量が、それぞれが単独で適正露光量となるような標準の発光量となるように制御することを特徴とする請求項１記載のカメラシステム。
【請求項６】
前記発光量制御手段は、前記第１の閃光発光手段の予備発光による被写体からの反射光を前記測光手段により測光し、露光中の前記第１の閃光発光手段の発光量を演算するとともに、前記第２の閃光発光手段の予備発光による被写体からの反射光を前記測光手段により測光し、露光中の前記第２の閃光発光手段の発光量を演算するものであって、前記測光手段の複数のエリアに対してそれぞれ演算に寄与する率を決定する手段を含むことを特徴とする請求項１記載のカメラシステム。
【請求項７】
前記発光量制御手段は、前記測光手段の各エリアの寄与する率を各エリアの前記第１の閃光発光手段の予備発光による被写体反射光輝度により最大の輝度となるエリアをもとに決定することを特徴とする請求項６記載のカメラシステム。
【請求項８】
前記発光量制御手段は、前記測光手段の各エリアの寄与する率より重みづけ平均をとることにより演算をすることを特徴とする請求項６記載のカメラシステム。
【請求項９】
前記発光量制御手段は、露光中の前記第１の閃光発光手段の発光量を演算する場合と、露光中の前記第２の閃光発光手段の発光量を演算する場合とで、前記測光手段の複数のエリアに対してそれぞれ演算に寄与する率を異ならしめることを特徴とする請求項６記載のカメラシステム。
【請求項１０】
露光中に被写体に向け発光制御を行う第３の閃光発光手段を有し、
前記予備発光制御手段は、前記第３の閃光発光手段の露光中の発光制御に先立ち被写体に向け第３の予備発光を行わせ、前記発光量制御手段は、露光中の前記第１の閃光発光手段と前記第２の閃光発光手段の発光量の比が所定の値になるように制御するとともに、前記第１、第２の閃光発光手段とは独立に前記第３の閃光発光手段の発光量の制御を行うことを特徴とする請求項６に記載のカメラシステム。
【請求項１１】
被写体に向け発光制御を行う第１、第２の閃光発光手段による露光中の発光制御に先立ち、前記第１、第２の閃光発光手段に被写体に向け第１、第２の予備発光を順次行わせる予備発光制御手段と、被写体の光を変換して得られた光電流を圧縮し、電圧として出力する圧縮型測光手段と、前記第１、第２の予備発光による被写体からの反射光を前記圧縮型測光手段により測光して得られた予備発光時の測光出力に基づいて、露光中の前記第１、第２の閃光発光手段の発光量を制御する発光量制御手段を有することを特徴とするカメラ。
【請求項１２】
前記圧縮型測光手段は、画面内を分割してそれぞれの分割エリアの輝度値を出力することを特徴とする請求項１１記載のカメラ。
【請求項１３】
前記発光量制御手段は、露光中の前記第１、第２の閃光発光手段の発光量の比が所定の値になるように制御することを特徴とする請求項１１記載のカメラ。
【請求項１４】
前記発光量制御手段は、前記発光量の比を前記所定の値とするために、前記第１、第２の閃光発光手段の発光量をそれぞれが単独で適正露光量となるような標準の発光量から補正することを特徴とする請求項１３記載のカメラ。
【請求項１５】
前記発光量制御手段は、露光中の前記第１、第２の閃光発光手段の発光量が、それぞれが単独で適正露光量となるような標準の発光量となるように制御することを特徴とする請求項１１記載のカメラ。
【請求項１６】
前記発光量制御手段は、前記第１の閃光発光手段の予備発光による被写体からの反射光を前記測光手段により測光し、露光中の前記第１の閃光発光手段の発光量を演算するとともに、前記第２の閃光発光手段の予備発光による被写体からの反射光を前記測光手段により測光し、露光中の前記第２の閃光発光手段の発光量を演算するものであって、前記測光手段の複数のエリアに対してそれぞれ演算に寄与する率を決定する手段を含むことを特徴とする請求項１１記載のカメラ。
【請求項１７】
前記発光量制御手段は、前記測光手段の各エリアの寄与する率を各エリアの前記第１の閃光発光手段の予備発光による被写体反射光輝度により最大の輝度となるエリアをもとに決定することを特徴とする請求項１６記載のカメラ。
【請求項１８】
前記発光量制御手段は、前記測光手段の各エリアの寄与する率より重みづけ平均をとることにより演算をすることを特徴とする請求項１６記載のカメラ。
【請求項１９】
前記発光量制御手段は、露光中の前記第１の閃光発光手段の発光量を演算する場合と、露光中の前記第２の閃光発光手段の発光量を演算する場合とで、前記測光手段の複数のエリアに対してそれぞれ演算に寄与する率を異ならしめることを特徴とする請求項１６記載のカメラ。
【請求項２０】
前記予備発光制御手段は、被写体に向け発光制御を行う第３の閃光発光手段の露光中の発光制御に先立ち、前記第３の閃光発光手段に被写体に向け第３の予備発光を行わせ、前記発光量制御手段は、露光中の前記第１の閃光発光手段と前記第２の閃光発光手段の発光量の比が所定の値になるように制御するとともに、前記第１、第２の閃光発光手段とは独立に前記第３の閃光発光手段の発光量の制御を行うことを特徴とする請求項１６に記載のカメラ。
【手続補正３】
【補正対象書類名】明細書
【補正対象項目名】０００１
【補正方法】変更
【補正の内容】
【０００１】
【発明の属する技術分野】
本発明は、閃光発光手段としてのフラッシュ（ストロボ）を被写体に向け発光し、自動的に適正露光を得るように発光量の調節を行い露光動作を行うカメラシステム及びカメラに関し、特に２つ以上の閃光発光手段を有する多灯ストロボのカメラシステム及びカメラに関するものである。
【手続補正４】
【補正対象書類名】明細書
【補正対象項目名】００１０
【補正方法】変更
【補正の内容】
【００１０】
【課題を解決するための手段】
本発明のカメラシステムの構成として、露光中に被写体に向け発光制御を行う第１、第２の閃光発光手段と、前記第１、第２の閃光発光手段による露光中の発光制御に先立ち被写体に向け第１、第２の予備発光を順次行わせる予備発光制御手段と、被写体の光を変換して得られた光電流を圧縮し、電圧として出力する圧縮型測光手段と、前記第１、第２の予備発光による被写体からの反射光を前記圧縮型測光手段により測光して得られた予備発光時の測光出力に基づいて、露光中の前記第１、第２の閃光発光手段の発光量を制御する発光量制御手段を有するものである。
【手続補正５】
【補正対象書類名】明細書
【補正対象項目名】００１１
【補正方法】変更
【補正の内容】
【００１１】
本発明のカメラの構成として、被写体に向け発光制御を行う第１、第２の閃光発光手段による露光中の発光制御に先立ち、前記第１、第２の閃光発光手段に被写体に向け第１、第２の予備発光を順次行わせる予備発光制御手段と、被写体の光を変換して得られた光電流を圧縮し、電圧として出力する圧縮型測光手段と、前記第１、第２の予備発光による被写体からの反射光を前記圧縮型測光手段により測光して得られた予備発光時の測光出力に基づいて、露光中の前記第１、第２の閃光発光手段の発光量を制御する発光量制御手段を有するものである。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００２２
【補正方法】変更
【補正の内容】
【００２２】
第１、第２の閃光発光手段の予備発光時の測光出力に基づいて、露光中のそれぞれの第１、第２の閃光発光手段の発光量制御を行うというのは、演算によりあらかじめ露光中の発光（本発光）の光量を決めてあげる方法でもよいが、露光中にリアルタイムでフィルム面反射光を測光するものの、予備発光の測光出力に基づいて補正を加えたり、分割測光の測光エリアのうち無視するエリアを決めたりということでもよい。
【手続補正１０】
【補正対象書類名】明細書
【補正対象項目名】０２２８
【補正方法】変更
【補正の内容】
【０２２８】
【発明の効果】
以上説明したように本発明によれば、多灯ストロボでもそれぞれ予備発光し、被写体の反射光を測光することで、露光中の本発光の発光量を決めるエリアを決定し発光量を決定または補正することで、撮影者の意図に応じてきめ細かい多灯ストロボの制御が出来る使い勝手のよいカメラシステム、カメラを実現できる。